(57)【要約】【課題】  この出願発明は、装飾用リングにたとえば、宝石箱に収納されているペンダント、指輪あるいはその他のアクセサリーを取り付けて装飾品として使用することを目的とする。【解決手段】  この出願発明は、ピンを有するリングからなる装飾用リングおよびピンを有するリングからなる装飾用リングに装飾用品が取り付けられている装飾品、とくに、装飾用装身具に関する。【選択図】      図４
2007222691.tif 000002
【特許請求の範囲】
【請求項１】
ピンを有するリングからなることを特徴とする装飾用リング。
【請求項２】
リングが開環可能であることを特徴とする請求項１に記載の装飾用リング。
【請求項３】
リングに飾りを付けるための加工がされていることを特徴とする請求項１または２に記載の装飾用リング。
【請求項４】
リングに飾りが付いていることを特徴とする請求項１〜３に記載の装飾用リング。
【請求項５】
飾りが宝石であることを特徴とする請求項１〜４に記載の装飾用リング。
【請求項６】
請求項１〜５に記載の装飾用リングに装飾用品が取り付けられていることを特徴とする装飾品。
【請求項７】
装飾用品がペンダントトップ、指輪であることを特徴とする請求項６に記載の装飾品。
【請求項８】
装飾品が装飾用装身具であることを特徴とする請求項６または７に記載の装飾品。
【請求項９】
装飾用装身具がピアス、ネクタイピン、ブローチであることを特徴とする請求項８に記載の装飾品。
【発明の詳細な説明】
【技術分野】
【０００１】
この出願発明は、ピンを有する装飾用リングおよび装飾品に関する。
【背景技術】
【０００２】
各家庭には、ペンダント、ブローチ、指輪などがあり、それぞれ本来の用途であるペンダント、ブローチ、指輪として身に装着されている。
しかし、ペンダント、ブローチなどの場合、本来の付け方ではもの足りず、そのためそのまま宝石箱にしまわれて、使用されず、身につけていないという問題があった。
また、指輪の場合は、サイズが合わなくなり指輪として使用できなくなると、そのまま宝石箱にしまわれて、本来の装飾用品としての機能を失っている。
とくに、記念の指輪、たとえば、婚約指輪、結婚指輪の場合には、指輪を切断して新たな金属を加えて拡げること、あるいは、指輪を溶かして他の装飾用品に作り替えることが縁起の上から嫌われており、本来は身につけたいにもかかわらず身につけることができないという問題があった。
このような問題を解決するものとしてこの出願発明者は特開２００４−３１３５７５の発明を完成した。
この出願発明は、ピンを有するリングを利用することにより、宝石箱にしまわれているものだけではなく、いろいろなアクセサリーを簡単に装飾用としてとくに身に装着することに成功した。
【特許文献１】特開２００４−３１３５７５
【発明の開示】
【発明が解決しようとする課題】
【０００３】
この出願発明は、このような問題を解決するものであり、この出願発明者はペンダントトップ、ブローチ、指輪、その他の装飾用品、とくに、使用されたペンダントトップ、指輪を装飾するためのピンを有するリングからなる装飾用リング、好ましくは、開環可能なリングからなる装飾用リングおよび装飾用リングに装飾用品が取り付けられている装飾品、とくに、ネクタイピン、ピアス、ブローチなどの装飾用装身具を開発することによりこの問題を解決した。
【課題を解決するための手段】
【０００４】
この出願発明は、ピンを有するリングからなる装飾用リング、とくに、ピンを有する開環可能なリングからなる装飾用リングおよび装飾品、とくに、装飾用装身具に関する。
【発明の効果】
【０００５】
この出願発明のピンを有するリングからなる装飾用リングを利用することにより、これまで使用されずに宝石箱にしまい込まれていたペンダントトップ、ブローチ、指輪を装飾品として再び使用することができる。とくに、リングが開環可能であるときは、リングを開環することにより、ペンダントトップ、ブローチ、指輪を簡単に取り付けることができる。
また、市販されているペンダントトップ、ブローチ、指輪を簡単に取り付けることにより多様の装飾品として利用することができる。
また、たとえば、アクセサリーなどの装飾品を取り付け、個性のある新しい装飾品として利用することもできる。
リングはどのような形状でも良いが、円形、楕円形、逆三角形、ハート型、りんごなどの果物の形状などが好ましい。
指輪の場合には、本来の指輪の形状を残しているので、記念品であることを思い出すことができ、当時の思い出に耽ることもできる。
また、指輪の内側には記念の日が刻印されているので、記念の日を確認することができる。
指輪の場合には、指輪をさらに装飾をすることにより優れた装飾用装身具にすることができる。
【発明を実施するための最良の形態】
【０００６】
この出願発明の装飾用リングは、端部に飾りを付ける場合には、飾りを付けるための金属と端部がピンになっている線状の金属を溶着あるいは接着し、ついで曲げることにより作製する。
飾りを付けるための金属は、そのままでもよいが、飾りを付けるための加工がされていることが好ましい。
飾りを付けるための加工としては、孔がとくに好ましい。飾りは溶着あるいは接着により取り付ける。
また、リングには装飾用品が取り付けられるので、本来は必要ないが、リングの内側に、たとえば、貝、石などをはめ込んでもよいし、さらに、リングの周囲に、天使、動物、人形、鳥、花、月、星などを取り付けてもよい。
天使はどのようなポーズでもよいが、指輪に掴まっているもの、指輪に座っているもの、手を広げたもの、飛んでいるものなどが好ましい。
また、動物としては、馬、ピューマ、犬などが好ましい。
さらに、これらは動物が躍動している全身の構図であってもよいし、たとえば、頭部の部分などのように部分の構図であってもよい。
【０００７】
飾りは、リングに装飾用品が取り付けられるので、目立たないものが好ましいが、宝石、サンゴ、七宝焼などが好ましく、ダイヤ、ルビー、エメラルド、真珠などの宝石あるいはサンゴであることが好ましい。また、小さなものが好ましい。
【０００８】
装飾用リングに取り付けられる装飾用品は、とくに限定されないが、ペンダントトップ、ブローチ、指輪、その他の飾りものであることが好ましい。
例えば、市販のアクセサリーでも良い。
【０００９】
ピンを有する装飾用リングの材質は、とくに限定されず、貴金属、金属、プラスチックなどが使用されるが、金、銀、プラチナなどの貴金属、チタンが好ましく、とくに、開環可能なリングからなる装飾用リングの場合には、熱処理した金が弾性があり、しかも、強度があるので好ましい。
金としては、ホワイトゴールド、イエローゴールドなどが好ましい。
開環可能なリングは、リングの端部が離れたもの、開閉バチカンなどがあるが、リングの端部が離れたものがとくに好ましい。
【００１０】
この出願発明の装飾用リングに、装飾用品が取り付けられた装飾品としては、装飾用装身具、室内装飾品などがあるが、装飾用装身具がとくに好ましい。
【００１１】
この出願発明の装飾用リングに、装飾用品が取り付けられた装飾用装身具は、ピアス、ネクタイピン、ブローチであることが好ましい。
【００１２】
ネクタイピン、ピアス、ブローチはそれらを兼用するものであってもよい。
また、装飾用装身具にチェーンを通すことによりペンダントとして使用してもよい。
また、チェーンが付いている吊り金具にリングを開環して取り付けてペンダントとして使用してもよいし、吊り金具にチェーンが付いており適当に装飾された枠にリングを収容してペンダントとして使用することもできる。
【００１３】
室内装飾品としては、たとえば、置物、時計、宝石箱、ホルダーなどの装飾として、また、リングホルダーに掛けて利用することができる。
【００１４】
指輪は宝石のつかないもの、宝石のつくものなどとくに限定されないが、宝石のつくものが装飾性の点で好ましい。
【００１５】
また、指輪は使用されたものが好ましいが、記念の指輪であることが好ましい。
記念の指輪としては、結婚指輪、婚約指輪であることがより好ましく、宝石のつく指輪であることがとくに好ましい。
【００１６】
装飾されていない指輪を利用する場合には、天使、動物、人形、鳥、花、月、星などを付けることが好ましく、天使が取り付けられていることがとくに好ましい。
【実施例】
【００１７】
以下、実施例によって、この出願発明を具体的に説明するが、この出願発明はこれらの実施例に限定されるものではない。
図１は、この出願発明の装飾用リングの正面図であり、図２は、図１の側面図であり、図３は、図１の他の側面図であり、図４は、図１の斜視図であり、図５は、着用したこの出願発明の装飾用装身具であるネクタイピンの正面図であり、図６は、着用したこの出願発明の装飾用装身具であるブローチの正面図であり、図７は、着用したこの出願発明の装飾用装身具であるピアスの正面図であり、１は開環可能なリングを、２はピンを、３は飾りを、４は装飾用品を、５はネクタイピンを、６はネクタイを、７はブローチを、８は衣服を、９はピアスを、１０は耳をそれぞれ示す。
【００１８】
実施例１
飾りを付けるための孔が設けられているイエローゴールドを、一端がピンになっている線状のイエローゴールドと溶着して一体とし、ついで、端部を離して曲げ、熱処理して、開環可能な装飾用リングを作製する。
つぎに、孔にダイヤを固定することにより図１〜図４に示す開環可能な装飾用リングを作製する。
同様にして、ホワイトゴールドにより装飾用リングを作製する。
【００１９】
実施例２
実施例１により作製した装飾用リングを開環し、ペンダントの鎖を外して、ペンダントトップを装飾用リングに取り付ける。
このようにして、図５に示す装飾用装身具のネクタイピンを作製する。
また、ブローチあるいはピアスとして使用するときは、そのままピンによって衣服に留めてあるいは耳に付けて使用する。
【００２０】
実施例３
実施例１により作製した装飾用リングを開環し、ペンダントの鎖を外して、ペンダントトップを装飾用リングに取り付ける。
このようにして、図６に示すブローチを作製する。
また、ネクタイピンあるいはピアスとして使用するときは、そのままピンによってネクタイに留めてあるいは耳に付けて使用する。
【００２１】
実施例４
実施例１により作製した装飾用リングを開環し、ペンダントの鎖を外して、ペンダントトップを装飾用リングに取り付ける。
このようにして、図７に示すピアスを作製する。
また、ネクタイピンあるいはブローチとして使用するときは、そのままピンによってネクタイ、衣服に留めて使用する。
【産業上の利用可能性】
【００２２】
この出願発明は、ピンを有する装飾用リングおよび装飾品とくに装飾用装身具に関する。
【図面の簡単な説明】
【００２３】
【図１】この出願発明の装飾用リングの正面図。
【図２】図１の側面図。
【図３】図１の他の側面図。
【図４】図１の斜視図。
【図５】着用したこの出願発明の装飾用装身具であるネクタイピンの正面図。
【図６】着用したこの出願発明の装飾用装身具であるブローチの正面図。
【図７】着用したこの出願発明の装飾用装身具であるピアスの正面図。
【符号の説明】
【００２４】
１  開環可能なリングからなる装飾用リング
２  ピン
３  飾り
４  装飾用品
５  ネクタイピン
６  ネクタイ
７  ブローチ
８  衣服
９  ピアス
１０  耳
【図１】
2007222691.tif 000003
【図２】
2007222691.tif 000004
【図３】
2007222691.tif 000005
【図４】
2007222691.tif 000006
【図５】
2007222691.tif 000007
【図６】
2007222691.tif 000008
【図７】
2007222691.tif 000009